(57)【要約】【課題】空調機用フィルタを清掃する際の作業時間を短くすることができる空調機用フィルタ１の清掃装置を提供する。【解決手段】空調機用フィルタの清掃装置は、空調機用フィルタの汚れ面の側において前記空調機用フィルタの側を向いて空気を吸い込む吸込部と、前記空調機用フィルタの汚れ面とは反対側において前記空調機用フィルタの側を向いて空気を吐き出す吐出部と、前記吸込部と前記吐出部との間に設けられ、前記吐出部から吐き出された空気の流れにより前記空調機用フィルタの汚れ面から剥がれた異物が前記吸込部により吸い込まれる空気とともに前記吸込部の側へ移動する際に、前記吸込部に吸い込まれる空気から当該異物を取り除く除去フィルタと、を備えた。【選択図】図１
2015202464.tif 000002
【特許請求の範囲】
【請求項１】
空調機用フィルタの汚れ面の側において前記空調機用フィルタの側を向いて空気を吸い込む吸込部と、
前記空調機用フィルタの汚れ面とは反対側において前記空調機用フィルタの側を向いて空気を吐き出す吐出部と、
前記吸込部と前記吐出部との間に設けられ、前記吐出部から吐き出された空気の流れにより前記空調機用フィルタの汚れ面から剥がれた異物が前記吸込部により吸い込まれる空気とともに前記吸込部の側へ移動する際に、前記吸込部に吸い込まれる空気から当該異物を取り除く除去フィルタと、
を備えた空調機用フィルタの清掃装置。
【請求項２】
空気を吸い込むファンと、
空気を吐き出すエアポンプと、
前記エアポンプに接続されたホースと、
を備え、
前記吸込部は、前記ファンの吸込口に設けられ、
前記吐出部は、前記ホースの先端部に設けられた請求項１に記載の空調機用フィルタの清掃装置。
【請求項３】
予め設定された隙間を空けた一対の平面部を備えた本体、
を備え、
前記吸込部は、前記本体の平面部の一方に設けられ、前記本体の平面部の他方の側を向いて空気を吸い込み、
前記吐出部は、前記本体の平面部の他方に設けられ、前記本体の平面部の一方の側を向いて空気を吐き出す請求項１に記載の空調機用フィルタの清掃装置。
【発明の詳細な説明】
【技術分野】
【０００１】
この発明は、空調機用フィルタの清掃装置に関する。
【背景技術】
【０００２】
例えば、特許文献１には、空調機用フィルタの清掃装置が記載されている。当該清掃装置によれば、空調機用フィルタに付着した異物を水で洗い流すことができる。
【先行技術文献】
【特許文献】
【０００３】
【特許文献１】特開２０１２−１５２７１４号公報
【発明の概要】
【発明が解決しようとする課題】
【０００４】
しかしながら、特許文献１に記載のものにおいては、空調機用フィルタを乾かす必要がある。このため、空調機用フィルタを清掃する際の作業時間が長くなる。
【０００５】
この発明は、上述の課題を解決するためになされた。この発明の目的は、空調機用フィルタを清掃する際の作業時間を短くすることができる空調機用フィルタの清掃装置を提供することである。
【課題を解決するための手段】
【０００６】
この発明に係る空調機用フィルタの清掃装置は、空調機用フィルタの汚れ面の側において前記空調機用フィルタの側を向いて空気を吸い込む吸込部と、前記空調機用フィルタの汚れ面とは反対側において前記空調機用フィルタの側を向いて空気を吐き出す吐出部と、前記吸込部と前記吐出部との間に設けられ、前記吐出部から吐き出された空気の流れにより前記空調機用フィルタの汚れ面から剥がれた異物が前記吸込部により吸い込まれる空気とともに前記吸込部の側へ移動する際に、前記吸込部に吸い込まれる空気から当該異物を取り除く除去フィルタと、を備えた。
【発明の効果】
【０００７】
この発明によれば、異物は、吐出部から吐き出された空気の流れにより空調機用フィルタの汚れ面から剥がれる。当該異物は、除去フィルタにより取り除かれる。このため、空調機用フィルタを清掃する際の作業時間を短くすることができる。
【図面の簡単な説明】
【０００８】
【図１】この発明の実施の形態１における空調機用フィルタの清掃装置を用いて空調機用フィルタを清掃する際の模式図である。
【図２】この発明の実施の形態２における空調機用フィルタの清掃装置を用いて空調機用フィルタを清掃する際の側面図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１における空調機用フィルタの清掃装置を用いて空調機用フィルタを清掃する際の模式図である。
【００１１】
図１において、空調機用フィルタ１は、板状に形成される。空調機用フィルタ１の一面は、第１フィルタ面からなる。空調機用フィルタ１の他面は、第２フィルタ面からなる。第２フィルタ面の目は、第１フィルタ面の目よりも細かく形成される。
【００１２】
空調機用フィルタ１は、第１フィルタ面を下方にして空調機に取り付けられる。例えば、空調機は、オフィスビル等の天井に設けられる。
【００１３】
空調機が動作した場合、空気は、第１フィルタ面から吸い込まれる。この際、空気中の異物は、第１フィルタ面に付着する。その結果、第１フィルタ面は、汚れ面となる。異物が第１フィルタ面に溜まった場合、空調機用フィルタ１は、清掃装置２を用いて清掃される。
【００１４】
清掃装置２は、本体３とファン４とエアポンプ５とホース６と中性能フィルタ７とを備える。
【００１５】
本体３は、収納部を備える。収容部は、本体３の一側に形成される。ファン４は、本体３の他側に設けられる。ファン４は、吸込口を備える。吸込口は、本体３の収納部の側を向く。ファン４は、吐出口を備える。吐出口は、本体３の収納部とは反対の側を向く。エアポンプ５は、ファン４の上方において本体３の上部に設けられる。ホース６の後端部は、エアポンプ５の出力部に接続される。中性能フィルタ７は、除去フィルタとして本体３に設けられる。中性能フィルタ７は、収納部とファン４との間に設けられる。中性能フィルタ７は、ファン４の吸込口に設けられる。中性能フィルタ７は、本体３に対して着脱し得るように設けられる。中性能フィルタ７の目は、第２フィルタ面の目と同等に細かく形成される。
【００１６】
空調機用フィルタ１の清掃時において、作業者は、本体３の収納部に空調機用フィルタ１を収納する。この際、空調機用フィルタ１の汚れ面は、中性能フィルタ７の側に向けられる。
【００１７】
その後、作業者は、ファン４を動作させる。その結果、ファン４の吸込口は、空気を吸い込む吸込部として機能する。具体的には、ファン４の吸込口は、高い圧力で空気を吸い込む。
【００１８】
その後、作業者は、エアポンプ５を動作させる。エアポンプ５は、加圧した大量の空気をホース６に送る。ホース６の先端部は、空気を吐き出す吐出部として機能する。具体的には、ホース６の先端部は、圧縮された空気を噴出する。当該空気は、ホース６の先端部から放射状に流れ出る。
【００１９】
その後、作業者は、ホース６の先端部を空調機用フィルタ１の汚れ面とは反対側の面に向ける。その結果、当該空気は、空調機用フィルタ１の汚れ面とは反対側の面に全体的に当たる。
【００２０】
その後、当該空気は、空調機用フィルタ１の全体を通過する。この際、当該空気は、空調機用フィルタ１の汚れ面に付着した異物を中性能フィルタ７の側に向けて押す。その結果、当該異物は、空調機用フィルタ１の汚れ面から剥がれる。
【００２１】
当該異物は、ファン４の吸込口により吸い込まれる空気とともにファン４の吸込口の側へ移動する。この際、当該異物は、中性能フィルタ７の一面に付着する。その結果、当該異物は、ファン４の吸込口により吸い込まれる空気から取り除かれる。
【００２２】
多くの異物が中性能フィルタ７に溜まった場合、清掃装置の吸引効率が下がる。この場合、中性能フィルタ７は、本体３から取り外される。その後、新しい中性能フィルタ７が本体３に取り付けられる。
【００２３】
以上で説明した実施の形態１によれば、異物は、ホース６の先端部から吐き出された空気により空調機用フィルタ１の汚れ面から剥がれる。当該異物は、中性能フィルタ７により取り除かれる。このため、空調機用フィルタ１を清掃する際の作業時間を短くすることができる。
【００２４】
また、異物を剥がす際の空気は、エアポンプ５から吐き出される。また、異物を移動させる際の空気は、ファン４に吸い込まれる。このため、簡単な構成で、空調機用フィルタ１を清掃する際の作業時間を短くすることができる。
【００２５】
また、中性能フィルタ７の目は、空調機用フィルタ１の第２フィルタ面の目と同等に細かく形成される。このため、不要となった空調機用フィルタ１の第２フィルタ面を中性能フィルタ７として流用することができる。
【００２６】
また、多くの異物が中性能フィルタ７に溜まった場合、新しい中性能フィルタ７が取り付けられる。このため、清掃装置の吸引効率を維持して多くの空調機用フィルタ１を連続して清掃することができる。
【００２７】
実施の形態２．
図２はこの発明の実施の形態２における空調機用フィルタの清掃装置を用いて空調機用フィルタを清掃する際の側面図である。なお、実施の形態１の部分と同一又は相当部分には同一符号が付される。当該部分の説明は省略される。
【００２８】
図２に示すように、清掃装置２の本体３は、一対の平面部３ａを備える。一対の平面部３ａは、予め設定された隙間を空けて設けられる。
【００２９】
実施の形態２において、空気の吸込部は、平面部３ａの一方に設けられる。空気の吐出部は、平面部３ａの他方に設けられる。中性能フィルタ７は、吸込部の吸込面に着脱し得るように設けられる。
【００３０】
図２においては、空気の吸込部は、下側の平面部３ａに設けられる。空気の吐出口は、上側の平面部３ａに設けられる。中性能フィルタ７は、下側の平面部３ａの上面に設けられる。
【００３１】
空調機用フィルタ１の清掃時において、作業者は、本体３の一対の平面部３ａの間に空調機用フィルタ１を収納する。この際、空調機用フィルタ１の汚れ面は、中性能フィルタ７の側に向けられる。その後、吸込部と吐出部との間において、空気の流れが自動的に発生する。具体的には、吸込部は、平面部３ａの他方の側を向いて高い圧力で空気を吸い込む。吐出部は、平面部３ａの一方の側を向いて大量の空気を吐き出す。
【００３２】
当該空気は、空調機用フィルタ１の汚れ面とは反対側の面に全体的に当たる。その後、当該空気は、空調機用フィルタ１の一部を通過する。当該空気は、空調機用フィルタ１の汚れ面の一部に付着した異物を中性能フィルタ７の側に向けて押す。その結果、当該異物は、空調機用フィルタ１の汚れ面の一部から剥がれる。
【００３３】
当該異物は、吸込部により吸い込まれる空気とともに吸込部の側へ移動する。この際、当該異物は、中性能フィルタ７の一面に付着する。その結果、当該異物は、吸込部により吸い込まれる空気から取り除かれる。
【００３４】
その後、作業者は、本体３の一対の平面部３ａの間に収納する空調機用フィルタ１の位置を変える。その結果、当該位置に対応した汚れ面に付着した異物が取り除かれる。
【００３５】
多くの異物が中性能フィルタ７に溜まった場合、中性能フィルタ７は、吸込部の吸込面から取り外される。その後、新しい中性能フィルタ７が吸込部の吸込面に取り付けられる。
【００３６】
以上で説明した実施の形態２によれば、吸込部と吐出部とは、本体３の一対の平面部３ａに設けられる。このため、一対の平面部３ａの間に空調機用フィルタ１を配置するだけで空調機用フィルタ１を清掃することができる。その結果、空調機用フィルタ１を清掃する際の作業時間をより短くすることができる。
【００３７】
なお、空調機用フィルタ１の汚れ面の目に合わせて、吐出部から吐き出される空気の間隔を設定してもよい。この場合、空調機用フィルタ１の汚れ面から効率的に異物を剥がすことができる。
【符号の説明】
【００３８】
１  空調機用フィルタ、  ２  清掃装置、  ３  本体、３ａ  平面部、  ４  ファン、  ５  エアポンプ、  ６  ホース、  ７  中性能フィルタ
【図１】
2015202464.tif 000003
【図２】
2015202464.tif 000004